(57)【要約】【課題】高さのない空間でも蓋体を開けたまま使用できるキッチンペーパーの収納箱を提供することを目的とする。【解決手段】キッチンペーパーの収納箱１０の前面部２０には、頂部に差込み片２２を有する上側の蓋体前面２０ａと下側の本体前面２０ｂに分離する前面切断線２１が設けられ、上面部１２には、折れ線１６が設けられ、さらに折れ線１６から前面切断線２１に向かって伸びる上面切断線１８が設けられ、前面切断線２１と上面切断線１８に沿って分断された部分が折れ線１６をヒンジ軸として後方へ倒れて開状態の蓋体１７となり、前記差込み片２２が切り込み１９に差し込まれる。従って、高さのない空間でもキッチンペーパーの収納箱を蓋体を開けたまま使用でき、又、キッチンペーパーの収納箱を使用している間にキッチンペーパーが側面部の外に出たりしないためキッチンペーパーの形状を保つことができる。【選択図】  図１
0003210242.tif 000002
【実用新案登録請求の範囲】
【請求項１】
上面部、底面部、前面部、後面部、側面部によって直方体状の箱体とされたキッチンペーパーの収納箱であって、
前記前面部には、頂部に差込み片を有する上側の蓋体前面と下側の本体前面に分離する前面切断線が設けられ、
前記上面部には、折れ線が設けられ、
さらに前記折れ線から前記前面切断線に向かって伸びる上面切断線が設けられ、
前記前面切断線と前記上面切断線に沿って分断された部分が前記折れ線をヒンジ軸として後方へ倒れて開状態の蓋体となり、前記差込み片が差し込まれる切り込みが前記上面部に刻設されていることを特徴とするキッチンペーパーの収納箱。
【請求項２】
前記上面切断線は、前記折れ線の両端を起点として前記上面部の前辺上を終点とする外周方向に突出した円弧状の線であり、前記前面切断線と連続して設けられていることを特徴とする請求項１に記載のキッチンペーパーの収納箱。
【請求項３】
前記上面部にキッチンペーパーの取出し口を形成するための開封用切取ミシン目が設けられたことを特徴とする請求項１又は請求項２に記載のキッチンペーパーの収納箱。
【請求項４】
前記底面部に十字状のスリットを形成したことを特徴とする請求項１から請求項３の何れか１項に記載のキッチンペーパーの収納箱。
【考案の詳細な説明】
【技術分野】
【０００１】
本考案は、高さのない空間でも蓋体を開けたまま使用できるキッチンペーパーの収納箱に関する。
【背景技術】
【０００２】
野菜などの水切りや料理の油切り、また油を拭ったり汚れをふくなど台所での使用を想定したキッチンペーパーを収納する収納箱は紙製のケースに収納されているのが一般的である。
【０００３】
また、以下の特許文献１に記載の紙製のケースでは、紙製のケースの前面切断線と傾斜切断線とで紙材を切断することにより立体的で剛性の高い蓋体、及び開口部を形成でき、又、例えばキッチンペーパー等のシートの使用後は、この蓋体により開口部を確実にふさぐことができるというものである。
【先行技術文献】
【特許文献】
【０００４】
【特許文献１】特許第４３５３７２７号公報
【考案の概要】
【考案が解決しようとする課題】
【０００５】
しかし前記特許文献１に記載のケースでは、前面にある前面切断線、及びケース本体側面にある傾斜切断線を分離して４面を有する立体的な蓋体を形成することにより、蓋体を開けてシートを使用している間はケース本体の高さに蓋体の高さが加わることになる。従って、例えば高さのない台所の棚などの、狭い空間では特許文献１に記載のケースは蓋体を開けたままの状態で使用することができないものと考えられる。また、特許文献１に記載のケースは、ケース本体側面の傾斜切断線を分離して蓋体を構成しているため、シートの使用のために蓋体を長い間開けたり閉めたりしている間に蓋体や本体の形が崩れて本体の中のシートを蓋体が挟むようになったり、シートが本体側面の外に出てしまうことによりシートが変形してしまうことがある。
【０００６】
本考案は上記実情に鑑みて提案されたもので、本体の上面部と前面部に切断線を設け当該切断線を分離して蓋体を形成して、蓋体の頂部の差込み片を本体の上面部の切り込みに差し込む構成とするため、蓋体を開けてキッチンペーパーの収納箱を使用している間にキッチンペーパーが側面部の外に出ずキッチンペーパーの形状を保つことができ、また高さのない空間でもキッチンペーパーの収納箱を蓋体を開けたまま使用できるキッチンペーパーの収納箱を提供することを目的とする。
【課題を解決するための手段】
【０００７】
上記目的を達成するために本考案は、上面部、底面部、前面部、後面部、側面部によって直方体状の箱体とされたキッチンペーパーの収納箱であって、前記前面部には、頂部に差込み片を有する上側の蓋体前面と下側の本体前面に分離する前面切断線が設けられ、前記上面部には、折れ線が設けられ、さらに前記折れ線から前記前面切断線に向かって伸びる上面切断線が設けられ、前記前面切断線と前記上面切断線に沿って分断された部分が前記折れ線をヒンジ軸として後方へ倒れて開状態の蓋体となり、前記差込み片が差し込まれる切り込みが前記上面部に刻設されていることを特徴とする。
【０００８】
また本考案は、前記上面切断線は、前記折れ線の両端を起点として前記上面部の前辺上を終点とする外周方向に突出した円弧状の線であり、前記前面切断線と連続して設けられていることを特徴とする。
【０００９】
また本考案は、前記上面部にキッチンペーパーの取出し口を形成するための開封用切取ミシン目が設けられたことを特徴とする。
【００１０】
また本考案は、前記底面部に十字状のスリットを形成したことを特徴とする。
【考案の効果】
【００１１】
本考案において、上面部、底面部、前面部、後面部、側面部によって直方体状の箱体とされたキッチンペーパーの収納箱であって、前記前面部には、頂部に差込み片を有する上側の蓋体前面と下側の本体前面に分離する前面切断線が設けられ、前記上面部には、折れ線が設けられ、さらに前記折れ線から前記前面切断線に向かって伸びる上面切断線が設けられ、前記前面切断線と前記上面切断線に沿って分断された部分が前記折れ線をヒンジ軸として後方へ倒れて開状態の蓋体となり、前記差込み片が差し込まれる切り込みが前記上面部に刻設されているため、蓋体の差込み片を切り込みに差し込むことにより蓋体の開状態が平面状のまま維持される。したがって、蓋体が立体の場合は蓋体を開状態にすると蓋体の分だけキッチンペーパーの収納箱の高さが増し、棚の天井などにぶつかって使用できない場合があるが、本考案のキッチンペーパーの収納箱では蓋体を棚の天井などにぶつけることなく用いることができる。
また、前面切断線と上面切断線と折れ線によって前面部と上面部にのみに蓋体は形成され、側面部には形成されない。したがって、蓋体を開けてキッチンペーパーの収納箱を使用している間にキッチンペーパーが側面部の外に出ないためキッチンペーパーの形状を保つことができる。
【００１２】
本考案において、前記上面切断線は、前記折れ線の両端を起点として前記上面部の前辺上を終点とする外周方向に突出した円弧状の線であり、前記前面切断線と連続して設けられているため、前面切断線と上面切断線を分離して蓋体を形成する際に切り離しが容易である。
【００１３】
本考案において、前記上面部にキッチンペーパーの取出し口を形成するための開封用切取ミシン目が設けられているため、通常のティッシュペーパーの使用のように１枚ずつキッチンペーパーを取り出すこともできる。
【００１４】
本考案において、前記底面部に十字状のスリットを形成したため、この十字状のスリットにフックなどを差し込むことによりキッチンペーパーの収納箱を壁に掛けて用いることができる。従って、このようにキッチンペーパーの収納箱を壁に掛けて用いることにより、台所などのスペースを有効利用することができる。
【図面の簡単な説明】
【００１５】
【図１】（ａ）本考案の実施例１に係るキッチンペーパーの収納箱の斜視図であり、（ｂ）は、本考案の実施例１に係るキッチンペーパーの収納箱の蓋体を開いた状態を示す斜視図である。
【図２】本考案の実施例１に係るキッチンペーパーの収納箱の展開図である。
【図３】本考案の実施例１に係るキッチンペーパーの収納箱の蓋体を開いた操作を示す拡大斜視図である。
【図４】本考案に係る開封用切取ミシン目を分離して使用した場合の実施例１に係るキッチンペーパーの収納箱の実施態様を表す斜視図である。
【図５】本考案の実施例２に係るキッチンペーパーの収納箱の斜視図である。
【図６】本考案の実施例２に係るキッチンペーパーの収納箱の底面部を示す参考図である。
【図７】本考案の実施例２に係るキッチンペーパーの収納箱の使用状態を示す参考図である。
【考案を実施するための形態】
【００１６】
以下、本考案に係る実施形態を図面とともに説明する。
【実施例１】
【００１７】
図１から図４に基づいて本考案の実施例１に係るキッチンペーパーの収納箱１０について説明する。本考案の実施例１に係るキッチンペーパーの収納箱１０は、図１（a）に示すように、多数枚のキッチンペーパー（図示せず）を収納する直方体の紙箱１１である。図１（ｂ）は、キッチンペーパーの収納箱１０の蓋部１７を開けた状態について説明する。なお以下の図において、長方形の上面部１２と長方形の底面部３０は互いに対向し、上面部１２の前辺１４と底面部３０の前辺１４を前面部２０が繋ぐ。上面部１２の後辺１５と底面部３０の後辺１５とを後面部５０が繋ぐ。さらに上面部１２の長辺１３と底面部３０の長辺１３とを一対の側面部４０が繋ぐ。
【００１８】
図１（ａ）において、上面部１２には前辺１４を介して前面部２０が連続して形成されている。この前面部２０は、一対の前辺１４、および前記前辺に直交する一対の短辺２３を有する長方形である。
【００１９】
前面部２０には、前面切断線２１が形成されている。前面切断線２１は、前記前面部２０の軸方向の中央線に関して線対称に形成されている。この前面切断線２１を切断することにより蓋体前面２０ａ及び差込み片２２が形成され、前面部２０は、蓋体前面２０ａと本体前面２０ｂとに分離される。また、この前面切断線２１は破線状であってかつ曲線状のミシン目であるため円滑に切断できて開封しやすい。
【００２０】
キッチンペーパーの収納箱１０の上面部１２は、一対の長辺１３および前辺１４と後辺１５とで囲まれている。上面部１２は、長辺１３が前辺１４および後辺１５よりも長い長方形状である。
【００２１】
上面部１２には２本の上面切断線１８が形成されている。この上面切断線１８は、それぞれ折れ線１６の両端を起点として上面部１２の前辺１４上を終点とする外周方向に突出した円弧状の線であり、上面部１２の軸方向の中央線に関して線対称に形成されている。なお、この上面切断線１８は前面切断線２１と連続している。また、折れ線１６は破線状のミシン目により形成されている。この破線状のミシン目は、折れ線１６に適度な折れ曲がり易さを与える。また、この折れ線１６のミシン目部分を前面切断線２１及び上面切断線１８と共に切り離して蓋体１７を取り去った状態でキッチンペーパーの収納箱１０を使用することもできる。
【００２２】
前面切断線２１と上面切断線１８をミシン目から切り離すことによって形成された蓋体前面２０ａと蓋体上面１２ａから成る蓋体１７を、折れ線１６をヒンジ軸として後方へ倒すことにより開状態の蓋体１７となる。蓋体前面２０ａの差込み片２２を上面部１２の中央部分に刻設されている略Ｙ字状の切り込み１９に差し込んで蓋体１７を係止する。すると図１（ｂ）のようにキッチンペーパーの収納箱１０に収納される積層シート束８０が取り出せるようになる。このように蓋体１７を係止することにより、蓋体１７が開状態となり平面状になる。したがって、蓋体１７を開けたままキッチンペーパーの収納箱１０からキッチンペーパーを取り出す場合に、蓋体１７の部分が棚などにぶつかることなく使用することができる。
【００２３】
図２に基づいて、本実施例１に係るキッチンペーパーの収納箱１０の組立方法の概略について説明する。
【００２４】
まず、キッチンペーパーの収納箱１０の組立前において、所定の長さ、幅を有する厚紙からくりぬき、左から底面部３０、側面部４０、上面部１２、側面部４０の順に連続した所定の形状の一枚の展開紙片１００とする。その際、底面部３０には前面部２０及び後面部５０を形成し、側面４０には側面片６０を形成する。上面部１２には前面部２０及び後面部５０を形成する。
図２において斜線で示される領域は、前面部２０、底面部３０及び後面部５０の糊付けされる部分を示すものである。破線で示されるのは折れ線１６である。二点鎖線で示されるのは、キッチンペーパーの収納箱１０を組み立てる際に折り目となる部分である。一点鎖線で示されるのは、上面切断線１８、前面切断線２１である。二重の点線で示されるのは、開封用切取ミシン目７０である。
【００２５】
そして、図２の所定の形状の一枚の展開紙片１００を、二点鎖線に沿って折り曲げるとともに、前面部２０、底面部３０及び後面部５０の糊付けされる部分を糊付けすれば、図１（ａ）及び図１（ｂ）に示すような本実施例１に係るキッチンペーパーの収納箱１０となる。
キッチンペーパーの収納箱１０の代表的な寸法は、上面部１２、底面部３０及び側面部４０の長手が２３０ｍｍ、上面部１２及び底面部３０の幅が１２０ｍｍ、側面４０の幅が８０ｍｍである。開封用切取ミシン目７０は、上面部１２のほぼ中央に形成された略長方形で、長辺が１７６ｍｍ、短辺が４０ｍｍである。折れ線１６は、上面部１２の前辺１４から約４７ｍｍのところに約８０ｍｍの幅で波線状に形成されている。なお、蓋体１７の形状や大きさは厚紙の材質、使用状況等から強度を考慮して適宜決定すればよいが、形状は切り離しやすさの観点から上面切断線１８と前面切断線２１が曲線状となることが好ましい。
なお上記寸法は代表値であって、適宜変更しても良いのは言うまでもない。
【００２６】
次に図３に基づいて、本実施例１に係るキッチンペーパーの収納箱１０の使用形態について説明する。
【００２７】
本実施例１に係るキッチンペーパーの収納箱１０は、図３に示すようにまず差込み片２２を指で押すなどして開け、そのまま前面切断線２１及び上面切断線１８を斜め上方に持ち上げる。すると、前面切断線２１及び上面切断線１８に沿って差込み片２２から折れ線１６に至るまでの部分が順次分断して、折れ線１６をヒンジ軸として開閉する蓋体１７が形成される。そして、蓋体１７の差込み片２２を切り込み１９に差し込む。これにより、蓋体１７を開いたままにすることができキッチンペーパーを容易に取り出すことができる。
【００２８】
一方図４のように、開封用切取ミシン目７０を切り離すことにより通常のティッシュペーパーを取り出すようにキッチンペーパーの収納箱１０からキッチンペーパーを１枚ずつ取り出すこともできる。
【実施例２】
【００２９】
次に、図５から図７に基づいて本考案の実施例２に係るキッチンペーパーの収納箱９０について説明する。この図５に係る実施例２のキッチンペーパーの収納箱９０は実施例１に係るキッチンペーパーの収納箱１０とほぼ構成が同じであるため、実施例１に係るキッチンペーパーの収納箱１０と異なる構成のみを説明する。
【００３０】
ここで、実施例１のキッチンペーパーの収納箱１０と実施例２のキッチンペーパーの収納箱９０の最も異なる構成は、図６のように実施例２のキッチンペーパーの収納箱９０の底面部３０に十字状のスリット９１が形成されている点である。
【００３１】
十字状のスリット９１は、キッチンペーパーの収納箱９０における底面部３０の長手方向の中央線上において、前辺１４から後辺１５に向かって２０ｍｍの位置に形成される。この十字状のスリット９１の十字の幅は縦横各８ｍｍである。フックなどをこの十字状のスリット９１に差し込むことによってキッチンペーパーの収納箱９０を図７のように壁に掛けて用いることができる。従って、このようにキッチンペーパーの収納箱９０を壁に掛けて用いることにより、台所などのスペースを有効利用することができる。
【００３２】
なお、実施例２のキッチンペーパーの収納箱９０においては、折れ線１６は、上面部１２の前辺１４から後辺１５に向かって６０ｍｍの位置において、上面部１２の前辺１４と平行に７０ｍｍの幅で直線状に形成されている。
【００３３】
以上、本考案に係る実施形態について説明したが、本考案は、かかる実施形態に限定されるものではなく、その要旨を逸脱しない範囲で以下に示すような変形が可能である。本実施形態においては、切り込み１９の形状として図１（ａ）や図５のような略Ｙ字形を例示したが、略Ｔ字状や山形状、半円形状でも良い。
【００３４】
本実施形態においては、キッチンペーパーの収納箱１０の素材として厚紙を例示したが、場合によってはボール紙であってもよい。更には合成樹脂フィルムをラミネートしてなる複合紙を用いることもできる。
【００３５】
本実施形態においては、キッチンペーパーの収納箱９０の底面部３０に形成したスリットの形態は十字状のものを例示したが、円形状のものであってもよい。
【００３６】
また、紙箱１１本体の形状や大きさについても特に制限はなく、例えば上述の直方体状の紙箱１１に代えて、縦長状の紙箱を適用することも可能である。
【符号の説明】
【００３７】
１０、９０‥‥キッチンペーパーの収納箱  １１‥‥紙箱
１２‥‥上面部      １２ａ‥‥蓋体上面  １２ｂ‥‥本体上面    １３‥‥長辺
１４‥‥前辺        １５‥‥後辺        １６‥‥折れ線        １７‥‥蓋体
１８‥‥上面切断線  １９‥‥切り込み    ２０‥‥前面部        ２０ａ‥‥蓋体前面
２０ｂ‥‥本体前面  ２１‥‥前面切断線  ２２‥‥差込み片      ２３‥‥短辺
３０‥‥底面部      ４０‥‥側面部      ５０‥‥後面部        ６０‥‥側面片
７０‥‥開封用切取ミシン目              ８０‥‥積層シート束
９１‥‥十字状のスリット              １００‥‥展開紙片
【図１】
0003210242.tif 000003
【図２】
0003210242.tif 000004
【図３】
0003210242.tif 000005
【図４】
0003210242.tif 000006
【図５】
0003210242.tif 000007
【図６】
0003210242.tif 000008
【図７】
0003210242.tif 000009